(57)【要約】      （修正有）【課題】携帯情報装置の消費電力を抑える。【解決手段】表示装置２２１３とＣＰＵ２１０６と外部入力端子２１０５とを有し、表示装置はソース信号線駆動回路と、複数の画素とを有し、複数の画素はそれぞれ、画素に入力される映像信号を記憶する機能を有する回路と、画素電極とを含み、外部入力端子から映像表示をかえるための信号の入力が一定期間行われない場合、ＣＰＵによって表示装置が静止画を表示していると判断され、表示装置が静止画を表示するとき、ＣＰＵからソース信号線駆動回路へのスタートパルス、クロック信号、及び映像データ信号の供給が停止される。【選択図】図１
2020024441.tif 000002
【特許請求の範囲】
【請求項１】
表示装置を有し、
前記表示装置は、ソース信号線駆動回路と、画素とを有し、
前記画素は、前記画素に入力される映像信号を記憶する機能を有する記憶回路と、液晶セルと、を含み、
前記画素を１つの単位として、１フレーム期間中における、前記液晶セルが光を透過している期間の長さを制御することで階調表示を行い、
前記記憶回路は、ＳＲＡＭからなることを特徴とする携帯情報装置。
【発明の詳細な説明】
【技術分野】
【０００１】
本発明は、携帯情報装置及びその駆動方法に関し、特に、液晶などを用いたフラットデ
ィスプレイを有する、携帯電話、ＰＤＡ（Personal Digital Assistant）、携帯パソコン
、携帯ゲーム装置、携帯ナビゲーションシステム、電子書籍などの携帯情報装置に関する
。
【背景技術】
【０００２】
近年、通信技術の発展によって、携帯電話が普及している。今後はさらに動画の電送や
、より多量の情報伝達が予想される。一方パーソナルコンピュータもその軽量化によって
、モバイル対応の製品が生産されている。電子手帳にはじまったパーソナルデジタルアシ
スタントと呼ばれる情報機器も多数生産され、普及しつつある。また、液晶表示装置など
の発展により、それらの携帯機器にはほとんどのものにフラットディスプレイが装備され
ている。
【０００３】
さらに最近の技術として、アクティブマトリクス型の表示装置が、それら携帯機器に用
いられ始めている。アクティブマトリクス型の表示装置は、画素１つずつに対して、ＴＦ
Ｔを１つずつ配置し、そのＴＦＴによって、画面を制御している。この様なアクティブマ
トリクス型の表示装置はパッシブマトリクス型の表示装置と比較して、画像の高精細化に
対応でき、画質を向上させることができ、動画に対応できるなどの長所を持っている。そ
れ故に今後は携帯情報機器の表示装置はパッシブマトリクス型からアクティブマトリクス
型に変化していくと思われる。
【０００４】
また、アクティブマトリクス型表示装置のなかでも、近年、低温ポリシリコンを用いた
、表示装置の製品化が行われている。低温ポリシリコン技術によって、画素を構成する画
素ＴＦＴの他に、画素部の周辺部に、ＴＦＴを用いて駆動回路を同時形成することができ
る。そのため、装置の小型化、低消費電力化に大いに貢献し、それに伴って、近年その応
用分野の拡大が著しいモバイル機器の表示部等に、液晶表示装置（液晶セルを有する表示
装置）は不可欠なデバイスとなってきている。
【０００５】
図１１に従来の携帯情報端末のブロック図を示す。１２０４は電源である。携帯情報端
末では、ユーザーが必要に応じて求める情報を引き出すことが要求される。その情報とは
、携帯情報端末内の記憶装置（ＤＲＡＭ１２０９、フラッシュメモリ１２１０など）に記
憶されているもの、携帯情報端末に差し込まれるメモリーカード１２０３に記憶されてい
るもの、外部インターフェイスポート１２０５を介して外部機器と接続して得れるものな
どがある。
【０００６】
ペン入力タブレット１２０１より入力されるユーザーの指示を、検出回路１２０２にお
いて電子情報として読み込む。そして該電子情報はタブレットインターフェース１２１８
によって映像信号処理回路１２０７に送られる。映像信号処理回路１２０７は、読み込ま
れた電子情報を、ＶＲＡＭ１２１１に格納してある画像フォーマットに基づいて画像デー
タに変換し、コントローラ１２１２に送付する。ここでコントローラ１２１２は表示装置
１２１３を駆動する信号を生成し、表示装置１２１３を駆動し、表示を行っていた。
【０００７】
図１２に従来の携帯電話のブロック図を示す。図１１に示した携帯情報端末で既に図示
しているものは同じ符号を付ける。
【０００８】
携帯電話は電波を送受信する送受信回路１２２４と、受信した信号を音声処理する音声
処理回路１２２１、スピーカー１２２３、マイク１２２２、またデータを入力するキーボ
ード１２２０、表示を行う表示装置１２１３、そのＬＣＤコントローラ１２１２、記憶装
置（ＶＲＡＭ１２１１、ＤＲＡＭ１２０９、フラッシュメモリ１２１０など）から成って
いる。
【０００９】
図１２に示した携帯電話において、キーボードインターフェース１２３８と、映像信号
処理回路１２０７と、ＶＲＡＭ１２１１と、ＬＣＤコントローラー１２１２の動作は、図
１１に示した携帯情報端末の場合と同じである。ただ違うのは、ユーザーの指示がキーボ
ード１２２０において電子情報として読み込まれるところである。
【００１０】
図１２における送受信回路１２２４の詳しい構成を、図１３に示す。アンテナ１３０２
において音声情報を有する電子情報が受信される。そして、フィルタ１３０３において該
電子情報のうち必要なデータだけが取り出され、スイッチ１３０４を介してアンプ１３０
５に入力される。アンプ１３０５に入力されたデータは増幅されてフィルタ１３０７に入
力される。フィルタ１３０３において不必要な情報がカットされたデータは、第１周波数
変換回路１３０９において周波数を高くされ、フィルタ１３１２に入力される。
【００１１】
フィルタ１３１２において不必要な情報がカットされたデータは、第２周波数変換回路
１３１３において再びその周波数を高くされ、フィルタ１３１６に入力される。
【００１２】
フィルタ１３１６において不必要な情報がカットされたデータは、アンプ１３１７にお
いて増幅され、データ復調回路１３１８に入力される。
【００１３】
データ復調回路１３１８は符号化されたデータを解いてＣＰＵ１２０６に入力する。
【００１４】
逆にＣＰＵから送られてきたデータは、データ変調回路１３１９に入力され符号化され
る。符号化されたデータは直交変換器１３１５において位相が調整され、かつその周波数
を高くされて、周波数変換回路１３１１に入力される。
【００１５】
周波数変換回路１３１１に入力されたデータは、その周波数を高くされてフィルタ１３
０８に入力される。フィルタ１３０８において不必要な情報がカットされたデータは、ア
ンプ１３０６において増幅され、スイッチ１３０４を介してフィルタ１３０３に入力され
る。
【００１６】
フィルタ１３０３において不必要な情報がカットされたデータは、アンテナ１３０２に
おいて発信される。
【００１７】
従来のデジタル方式で駆動する、液晶セルを有する表示装置の概略図を、図１４に示す
。表示装置は、画素部９００３と、ソース信号線駆動回路９００１と、ゲート信号線駆動
回路９００２とが配置されている。
【００１８】
画素部９００３は、複数の画素９００４を有している。ソース信号線駆動回路９００１
は、シフトレジスタ回路９００１−１、ラッチ回路Ａ９００１−２、ラッチ回路Ｂ９００
１−３、Ｄ／Ａ変換回路９００１−４を有している。またゲート信号線駆動回路９００２
は、シフトレジスタ回路９００２−１、バッファ回路９００２−１を有している。
【００１９】
図１５に画素９００４の回路図を示す。画素９００４は、ソース信号線９００５の１つ
と、ゲート信号線９００６の１つとを有している。また画素９００４は画素ＴＦＴ９００
７と、対向電極と画素電極の間に液晶を挟んだ液晶セル９００８と、コンデンサ９００９
とが設けられている。
【００２０】
画素ＴＦＴ９００４のゲート電極は、ゲート信号線９００６に接続されている。また、
画素ＴＦＴ９００４のソース領域とドレイン領域は、一方はソース信号線９００５に、も
う一方は液晶セル９００８が有する画素電極及びコンデンサ９００９に接続されている。
【００２１】
コンデンサ９００９は画素ＴＦＴ９００７が非選択状態（オフ状態）にある時、画素電
極の電位を保持するために設けられている。
【００２２】
液晶セル９００８の対向電極には対向電位が与えられている。
【００２３】
ソース信号線駆動回路９００１が有するシフトレジスタ回路９００１−１にクロック信
号（ＣＫ）、スタートパルス（ＳＰ）が入力される。シフトレジスタ回路９００１−１は
、これらのクロック信号（ＣＫ）およびスタートパルス（ＳＰ）に基づきタイミング信号
を順に発生させ、ラッチ回路Ａ９００１−２へタイミング信号を順次供給する。
【００２４】
ラッチ回路Ａ９００１−２は、デジタルビデオ信号を記憶する複数のラッチを有してい
る。ラッチ回路Ａ９００１−２は、前記タイミング信号が入力されると、デジタルビデオ
信号を各ラッチに順次取り込み、保持する。
【００２５】
ラッチ回路Ａ９００１−２の全てのラッチにデジタルビデオ信号の書き込みが一通り終
了するまでの時間は、ライン期間と呼ばれる。実際には、上記ライン期間に水平帰線期間
が加えられた期間をライン期間と呼ぶこともある。
【００２６】
１ライン期間の終了後、ラッチ回路Ｂ９００１−３にラッチシグナル（Latch Signal）
が供給される。この瞬間、ラッチ回路Ａ９００１−２に書き込まれ保持されているデジタ
ルビデオ信号は、ラッチ回路Ｂ９００１−３に一斉に送出され、ラッチ回路Ｂ９００１−
３の全てのラッチに書き込まれ、保持される。
【００２７】
デジタルビデオ信号をラッチ回路Ｂ９００１−３に送出し終えたラッチ回路Ａ９００１
−２に、シフトレジスタ回路９００１−１からのタイミング信号に基づき、再びデジタル
ビデオ信号が順次書き込まれる。
【００２８】
この２順目の１ライン期間中には、ラッチ回路Ｂ９００１−３に書き込まれ、保持され
ているデジタルビデオ信号が、順次Ｄ／Ａ変換回路９００１−４に入力される。
【００２９】
Ｄ／Ａ変換回路９００１−４においてデジタルビデオ信号がアナログのビデオ信号（ア
ナログビデオ信号）に変換され、ソース信号線９００５に供給される。
【００３０】
一方ゲート信号線駆動回路９００２内のシフトレジスタ回路９００２−１にクロック信
号（ＣＬＫ）、スタートパルス信号（ＳＰ）が入力されると、画素ＴＦＴ９００７のスイ
ッチングを制御する選択信号が生成される。選択信号はバッファ回路９００２−２におい
て緩衝増幅され、ゲート信号線９００６に入力される。
【００３１】
ゲート信号線９００６に入力された選択信号によって、画素ＴＦＴ９００４がオンの状
態になり、ソース信号線に入力されたアナログビデオ信号が画素ＴＦＴを介して液晶セル
９００８が有する画素電極に入力される。
【００３２】
画素電極に入力されたアナログビデオ信号の電位により液晶が駆動し、透過光量が制御
されて、画素に画像の一部（該画素に相当する画像）が表示される。
【００３３】
全ての画素において画像の一部が表示されると、画素部９００３に１つの画像が表示さ
れる。
【００３４】
各画素において上記動作が行われることで１つの画像が表示される。
【発明の概要】
【発明が解決しようとする課題】
【００３５】
以上に述べたような従来の情報端末機器では、表示画面を表示する場合、たとえその画
面が静止画面であっても、同一の映像のデータを１秒間に６０回づつ、表示装置に送くり
続けていた。即ち、ＣＰＵ１２０６にある映像信号処理回路１２０７、ＶＲＡＭ１２１１
、コントローラ１２１２、および表示装置１２１３が有するソース信号線駆動回路、ゲー
ト信号線駆動回路は表示を行っている限り、動作を行っていた。
【００３６】
画素数の少ないパッシブ型の表示装置においては、メモリを表示装置のドライバＩＣも
しくはＬＣＤコントローラの中に内蔵し、ＶＲＡＭを停止するものも存在するが、アクテ
ィブマトリクスのような多数の画素を用いる表示装置では、ドライバ内もしくはコントロ
ーラ内にメモリを有するのはチップサイズの観点から、非現実的である。よって、従来の
情報端末機器では、静止画を表示する場合においても、多くの回路は動作を続けなければ
ならず、消費電力の低減に対して、妨げとなっていた。
【００３７】
携帯情報端末においては、低消費電力化が大きく望まれている。さらに、このモバイル
機器においては、静止画モードで使用されることが大部分を占めているにもかかわらず、
前述のように駆動回路は静止画表示の際にも動作し続けているため、低消費電力化への足
かせとなっている。
【００３８】
本発明は前述のような問題点を鑑み、新規の回路を用いることにより、静止画の表示時
における駆動回路の消費電力を低減することを課題とする。
【課題を解決するための手段】
【００３９】
前述の課題を解決するために、本発明では次のような手段を用いた。
【００４０】
画素内に複数の記憶回路を配置し、画素毎にデジタル映像信号を記憶させる。
静止画の場合、一度書き込みを行えば、それ以降、画素に書き込まれる情報は同様である
ので、フレーム毎に信号の入力を行わなくとも、記憶回路に記憶されている信号を読み出
すことによって静止画を継続的に表示することができる。すなわち、静止画を表示する際
は、最低１フレーム分の信号の処理動作を行って以降は、ソース信号線駆動回路を停止さ
せておくことが可能となり、それに伴って電力消費を大きく低減することが可能となる。
【００４１】
以下に、本発明の液晶表示装置の構成について記載する。
【００４２】
本発明によって、  表示装置とコントローラとを有する携帯情報装置において、  前記
表示装置は記憶回路と液晶セルとをそれぞれ含む複数の画素を有し、  前記表示装置が静
止画を表示するとき、前記表示装置と前記コントローラ以外の映像表示機能を停止するこ
とを特徴とした携帯情報装置が提供される。
【００４３】
本発明によって、  表示装置とコントローラとを有する携帯情報装置において、  前記
表示装置は記憶回路と液晶セルと前記液晶セルが有する画素電極にかかる電圧を制御する
ＴＦＴとをそれぞれ含む複数の画素を有し、  前記表示装置が静止画を表示するとき、前
記表示装置と前記コントローラ以外の映像表示機能を停止することを特徴とした携帯情報
装置が提供される。
【００４４】
前記コントローラは表示装置のクロック発生回路であっても良い。
【００４５】
本発明によって、  表示装置を有する携帯情報装置において、  前記表示装置は記憶回
路と液晶セルとをそれぞれ含む複数の画素を有し、  前記表示装置が静止画を表示すると
き、映像情報を有する信号が前記表示装置の外部から前記表示装置に入力されないことを
特徴とした携帯情報装置が提供される。
【００４６】
本発明によって、  表示装置を有する携帯情報装置において、  前記表示装置は記憶回
路と液晶セルと前記液晶セルが有する画素電極にかかる電圧を制御するＴＦＴとをそれぞ
れ含む複数の画素を有し、  前記表示装置が静止画を表示するとき、映像情報を有する信
号が前記表示装置の外部から前記表示装置に入力されないことを特徴とした携帯情報装置
が提供される。
【００４７】
本発明によって、  表示装置とＣＰＵを有する携帯情報装置において、  前記表示装置
は、記憶回路と液晶セルとをそれぞれ含む複数の画素を有し、  前記表示装置が静止画を
表示するとき、前記ＣＰＵの映像表示機能を停止することを特徴とした携帯情報装置が提
供される。
【００４８】
本発明によって、  表示装置とＣＰＵを有する携帯情報装置において、  前記表示装置
は、記憶回路と液晶セルと前記液晶セルが有する画素電極にかかる電圧を制御するＴＦＴ
とをそれぞれ含む複数の画素を有し、  前記表示装置が静止画を表示するとき、前記ＣＰ
Ｕの映像表示機能を停止することを特徴とした携帯情報装置が提供される。
【００４９】
本発明によって、  表示装置とＶＲＡＭとを有する携帯情報装置において、  前記表示
装置は、記憶回路と液晶セルとをそれぞれ含む複数の画素を有し、  前記表示装置が静止
画を表示するとき、前記ＶＲＡＭに記憶されているデータの呼び出しを停止することを特
徴とした携帯情報装置が提供される。
【００５０】
本発明によって、  表示装置とＶＲＡＭとを有する携帯情報装置において、  前記表示
装置は、記憶回路と液晶セルと前記液晶セルが有する画素電極にかかる電圧を制御するＴ
ＦＴとをそれぞれ含む複数の画素を有し、  前記表示装置が静止画を表示するとき、前記
ＶＲＡＭに記憶されているデータの呼び出しを停止することを特徴とした携帯情報装置が
提供される。
【００５１】
本発明によって、  表示装置を有する携帯情報装置において、  前記表示装置は、記憶
回路と液晶セルとをそれぞれ含む複数の画素を有し、  前記表示装置が静止画を表示する
とき、前記表示装置のソース信号線駆動回路を停止することを特徴とした携帯情報装置が
提供される。
【００５２】
本発明によって、  表示装置を有する携帯情報装置において、  前記表示装置は、記憶
回路と液晶セルと前記液晶セルが有する画素電極にかかる電圧を制御するＴＦＴとをそれ
ぞれ含む複数の画素を有し、  前記表示装置が静止画を表示するとき、前記表示装置のソ
ース信号線駆動回路を停止することを特徴とした携帯情報装置が提供される。
【００５３】
前記記憶回路が１フレーム期間に１度呼び出されることを特徴としていても良い。
【００５４】
本発明によって、  表示装置を有する携帯情報装置において、  前記表示装置は複数の
画素を有し、  前記複数の画素は、記憶回路と液晶セルとを有し、  前記複数の画素のう
ち、特定の行または列の画素が有する記憶回路に記憶されているデータを書き換える手段
を有することを特徴とした携帯情報装置が提供される。
【００５５】
本発明によって、  表示装置を有する携帯情報装置において、  前記表示装置は複数の
画素を有し、  前記複数の画素は、記憶回路と液晶セルと前記液晶セルが有する画素電極
にかかる電圧を制御するＴＦＴとを有し、  前記複数の画素のうち、特定の行または列の
画素が有する記憶回路に記憶されているデータを書き換える手段を有することを特徴とし
た携帯情報装置が提供される。
【００５６】
前記携帯情報装置は、携帯電話、パーソナルコンピュータ、ナビゲーションシステム、
ＰＤＡまたは電子書籍であることを特徴としていても良い。
【発明の効果】
【００５７】
各画素の内部に配置された複数の記憶回路を用いてデジタル映像信号の記憶を行うこと
により、静止画を表示する際に各フレーム期間で記憶回路に記憶されたデジタル映像信号
を反復して用い、継続的に静止画を表示する際に、ソース信号線駆動回路を停止させてお
くことが可能となる。よって、液晶表示装置全体の低消費電力化に大きく貢献することが
出来る。
【図面の簡単な説明】
【００５８】
【図１】本発明の携帯情報端末の構成を示すブロック図。
【図２】本発明の携帯電話の構成を示すブロック図。
【図３】本発明の表示装置の画素回路図。
【図４】本発明の表示装置の画素回路図。
【図５】本発明の表示装置の駆動回路のブロック図。
【図６】本発明の表示装置の上面図と断面図。
【図７】本発明の構成を有する携帯電話の外観図。
【図８】本発明の構成を有する携帯電話の外観図。
【図９】本発明の構成を有する携帯電話の外観図。
【図１０】本発明の構成を有する携帯電話の外観図。
【図１１】従来の携帯情報端末の構成を示すブロック図。
【図１２】従来の携帯電話の構成を示すブロック図。
【図１３】送受信回路の構成を示すブロック図。
【図１４】従来の表示装置のブロック図。
【図１５】従来の表示装置の画素回路図。
【図１６】本発明の表示装置の画素上面図。
【発明を実施するための形態】
【００５９】
図１は本発明の構成を示したものである。本発明では、静止画を表示する場合、表示装
置２２１３の画素の内部にある記憶回路に映像信号を記憶させ、記憶した映像信号を呼び
出すことによって、表示を行う。よって、従来、動作させていたCPU２１０６の内部回路
のうち、映像信号処理回路２１０７、VRAM２１１１、表示装置２２１３の中のソース信号
線駆動回路を駆動させなくても、静止画像を表示することが可能となる。なお、外部イン
ターフェイスポート２１０５を介して、外部機器からユーザーが必要に応じて求める情報
を引き出すことができる。
また携帯情報端末に差し込まれるメモリーカード２１０３に記憶されている情報も引き出
すことが可能である。２１０４は電源である。
【００６０】
以下その内容について、具体的に説明を行う。
【００６１】
ペン入力タブレット２１０１からの入力が一定時間の間行われない、もしくは外部入力
端子から映像表示を変えなければならないような信号入力が一定時間されない場合、CPU
２１０６は静止画モードであると判断を行う。
【００６２】
CPU２１０６がそのような判断を行った場合、CPU２１０６は以下のような動作を行う。
ＬＣＤコントローラ２１１２を介して、表示装置２２１３のソース信号線駆動回路を停止
させる。具体的には、ソース信号線駆動回路へのスタートパルス、クロック信号、映像デ
ータ信号の供給を停止することによって、ソース信号線駆動回路の動作を停止させること
ができる。このときゲート信号線駆動回路は停止はせずに、信号の供給を受け、表示装置
２２１３内の画素部に設けられた記憶回路のデータを、各画素の画素電極に供給する作用
を行う。
【００６３】
ゲート信号線駆動回路はソース信号線駆動回路にくらべて、一般的には、１／１００以
下の周波数で駆動されるため、動作を停止しなくとも、消費電力の面では問題にならない
。もちろん、液晶表示装置の画質上の問題、例えば、焼きつき現象が発生しないような液
晶材料を使用する場合には、ゲート信号線駆動回路を停止してもよい。このような動作に
よって、表示装置はゲート信号線駆動回路のみ、または、両方の信号線駆動回路を停止さ
せて、表示を行う。
【００６４】
次に、CPU２１０６は、CPU２１０６内部の信号処理回路および、VRAM２１１１を停止す
る。前述したように、表示装置２２１３は、その内部の記憶回路に蓄えられた映像データ
で表示を行っているので、静止画を表示する場合、新たに映像データを表示装置２２１３
に送り込む必要性がない。よって、映像データを発生、加工する映像信号処理回路２１０
７、タブレットインターフェース２１１８、VRAM２１１１などは動作していなくとも良い
。またＤＲＡＭ２１０９とフラッシュメモリ２１１０などの、ユーザーの求める情報を保
持している記憶回路にアクセスする必要もない。
【００６５】
以上により、CPU２１０６内部の電力削減、VRAM２１１１の電力削減、ソース信号線駆
動回路の電力削減が達成される。
【００６６】
また、ペン入力タブレット２１０１などの外部入力端子から再び信号が入力された場合
は、ペン入力タブレット２１０１の検出回路２１０２からCPU２１０６に対して、表示内
容を変えるような指示が出される。するとCPU２１０６は停止していたVRAM２１１１、タ
ブレットインターフェース２１１８、映像信号処理回路２１０７を動作させる。そして、
ＬＣＤコントローラ２１１２を介して、表示装置２２１３のソース信号線駆動回路にスタ
ートパルス、クロック信号、映像データを供給し、新たな映像信号を画素に書き込むこと
ができる。
【００６７】
図２は本発明を使用した携帯電話の例である。動作概要は図１の携帯情報端末とおおよ
そ同じである。携帯情報端末と異なるのは、携帯電話では、入力は、キーボードによって
行われ、外部からのデータは、電話会社の通信系を介して、アンテナに入力され、図１３
に示す送受信回路で増幅されたのち、CPUで制御され、表示装置におくられることである
。静止画を表示する場合は、携帯情報端末と同様に、映像信号処理回路、VRAM、ソース信
号線駆動回路などは停止させることができる。
【００６８】
以下に本発明の実施例について記述する。
【実施例１】
【００６９】
本実施例では、本発明の構成を有する携帯電話の構成について説明する。
【００７０】
図２に本実施例の携帯電話のブロック図を示す。図１に示した携帯情報端末で既に図示
しているものは同じ符号を付ける。
【００７１】
携帯電話は電波を送受信する送受信回路２１２４と、受信した信号を音声処理する音声
処理回路２１２１、スピーカー２１２３、マイク２１２２、またデータを入力するキーボ
ード２１２０、表示を行う表示装置２１１３、そのＬＣＤコントローラ２１１２、記憶装
置（ＶＲＡＭ２１１１、ＤＲＡＭ２１０９、フラッシュメモリ２１１０など）から成って
いる。
【００７２】
図２に示した携帯電話において、キーボードインターフェース２１３８と、映像信号処
理回路２１０７と、ＶＲＡＭ２１１１と、ＬＣＤコントローラー２１１２の動作は、図１
に示した携帯情報端末の場合と同じである。ただ違うのは、ユーザーの指示がキーボード
２１２０において電子情報として読み込まれるところである。また外部からのデータは、
電話会社の通信系を介して、アンテナに入力され、図２に示す送受信回路２２２４で増幅
されたのち、CPU２１０６で制御され、表示装置２２１３に送られる。
【００７３】
キーボード２２２０からの入力が一定時間の間行われない、もしくは外部入力端子から
映像表示を変えなければならないような信号入力が一定時間されない場合、CPU２１０６
は静止画モードであると判断を行う。
【００７４】
CPU２１０６がそのような判断を行った場合、CPU２１０６は以下のような動作を行う。
ＬＣＤコントローラ２１１２を介して、表示装置２２１３のソース信号線駆動回路を停止
させる。具体的には、ソース信号線駆動回路へのスタートパルス、クロック信号、映像デ
ータ信号の供給を停止することによって、ソース信号線駆動回路の動作を停止させること
ができる。このときゲート信号線駆動回路は停止はせずに、信号の供給を受け、表示装置
２２１３内の画素部に設けられた記憶回路のデータを、各画素の画素電極に供給する。
【００７５】
ゲート信号線駆動回路はソース信号線駆動回路にくらべて、一般的には、１／１００以
下の周波数で駆動されるため、動作を停止しなくとも、消費電力の面では問題にならない
。もちろん、液晶表示装置の画質上の問題、例えば、焼きつき現象が発生しないような液
晶材料を使用する場合には、ゲート信号線駆動回路を停止してもよい。このような動作に
よって、表示装置はゲート信号線駆動回路のみ、または、両方の信号線駆動回路を停止さ
せて、表示を行う。
【００７６】
次に、CPU２１０６は、CPU２１０６内部の信号処理回路および、VRAM２１１１を停止す
る。前述したように、表示装置２２１３は、その内部の記憶回路に蓄えられた映像データ
で表示を行っているので、静止画を表示する場合、新たに映像データを表示装置２２１３
に送り込む必要性がない。よって、映像データを発生、加工する映像信号処理回路２１０
７、キーボードインターフェース２１３８、VRAM２１１１などは動作していなくとも良い
。またＤＲＡＭ２１０９とフラッシュメモリ２１１０などの、ユーザーの求める情報を保
持している記憶回路にアクセスする必要もない。
【００７７】
以上により、CPU２１０６内部の電力削減、VRAM２１１１の電力削減、ソース信号線駆
動回路の電力削減が達成される。
【００７８】
また、キーボード２２２０などの外部入力端子から再び信号が入力された場合は、キー
ボード２２２０からCPU２１０６に対して、表示内容を変えるような指示が出される。す
るとCPU２１０６は停止していたVRAM２１１１、キーボードインターフェース２１３８、
映像信号処理回路２１０７を動作させる。そして、ＬＣＤコントローラ２１１２を介して
、表示装置２２１３のソース信号線駆動回路にスタートパルス、クロック信号、映像デー
タを供給し、新たな映像信号を画素に書き込むことができる。
【実施例２】
【００７９】
本実施例では、本発明で用いられる表示装置が有する画素部の詳しい構成について説明
する。
【００８０】
画素部にはマトリクス状に複数の画素７０４が配列される。画素７０４の拡大図を図３
に示す。画素７０４には、画素ＴＦＴ７０５と、ＳＲＡＭ７０７と、対向電極と画素電極
の間に液晶を挟んだ液晶セル７０８とが設けられている。
【００８１】
画素ＴＦＴ７０５のゲート電極は、ゲート信号線７０９に接続されている。また、画素
ＴＦＴ７０５のソース領域とドレイン領域は、一方はソース信号線７１０に、もう一方は
ＳＲＡＭ７０７の入力側に接続されている。
【００８２】
ＳＲＡＭ７０７はｐチャネル型ＴＦＴとｎチャネル型ＴＦＴを２つづつ有しており、ｐ
チャネル型ＴＦＴのソース領域は高電圧側電源線７１１に接続され、電圧Ｖｄｄｈに保た
れている。またｎチャネル型ＴＦＴのソース領域は低電圧側電源線７１２に接続されてお
り、電圧Ｖｓｓに保たれている。なおＶｄｄｈ＞Ｖｓｓである。１つのｐチャネル型ＴＦ
Ｔと１つのｎチャネル型ＴＦＴとが対になっており、１つのＳＲＡＭの中にｐチャネル型
ＴＦＴとｎチャネル型ＴＦＴとの対が２組存在することになる。
【００８３】
対になったｐチャネル型ＴＦＴとｎチャネル型ＴＦＴは、そのドレイン領域が互いに接
続されている。また対になったｐチャネル型ＴＦＴとｎチャネル型ＴＦＴは、そのゲート
電極が互いに接続されている。そして互いに一方の対のｐチャネル型及びｎチャネル型Ｔ
ＦＴのドレイン領域が、もう一方の対のｐチャネル型及びｎチャネル型ＴＦＴのゲート電
極と同じ電位に保たれている。そして一方の対のｐチャネル型及びｎチャネル型ＴＦＴの
ドレイン領域は入力の信号（Ｖｉｎ）が入る入力側であり、もう一方の対のｐチャネル型
及びｎチャネル型ＴＦＴのドレイン領域は出力の信号（Ｖｏｕｔ）が出力される出力側で
ある。
【００８４】
ＳＲＡＭはＶｉｎを保持し、Ｖｉｎを反転させた信号であるＶｏｕｔを出力するように
設計されている。つまり、ＶｉｎがＨｉだとＶｏｕｔはＶｓｓ相当のＬｏの信号となり、
ＶｉｎがＬｏだとＶｏｕｔはＶｄｄｈ相当のＨｉの信号となる。
【００８５】
ＳＲＡＭ７０７の出力側は、液晶セル７０８が有する画素電極に接続されている。
【００８６】
ゲート信号線７０９に入力される選択信号により、画素ＴＦＴ７０５はオンの状態にな
る。そしてソース信号線７１０に入力されたデジタルビデオ信号は、画素ＴＦＴ７０５を
介してＳＲＡＭ７０７の入力側にＶｉｎとして入力される。
【００８７】
入力されたデジタルビデオ信号は、次のデジタルビデオ信号が入力されるまで保持され
る。またＳＲＡＭはＤＲＡＭに比べてデジタルビデオ信号の書き込みにかかる時間が短く
、高速でデータの書き込みを行うことが可能である。
【００８８】
デジタルビデオ信号は、１または０の情報を有しており、ＳＲＡＭ７０７に入力された
デジタルビデオ信号は、その情報が反転して出力される。例えば１の情報を有するデジタ
ルビデオ信号がＳＲＡＭ７０７に入力されると、０の情報を有するデジタルビデオ信号が
ＳＲＡＭ７０７の出力側からＶｏｕｔとして出力される。逆に０の情報を有するデジタル
ビデオ信号がＳＲＡＭ７０７に入力されると、１の情報を有するデジタルビデオ信号がＳ
ＲＡＭ７０７の出力側からＶｏｕｔとして出力される。
【００８９】
ＳＲＡＭ７０７の出力側から出力されたデジタルビデオ信号は、液晶セル７０８が有す
る画素電極に入力される。そしてデジタルビデオ信号が有する１または０の情報に従って
液晶が駆動し、透過光量が制御される。
【００９０】
そして同様に、全ての画素にデジタルビデオ信号が入力されることによって、各画素の
有する液晶セルが発光するかしないかが選択される。
【００９１】
さらに全てのビットのデジタルビデオ信号が全ての画素に入力されると、１つの画像が
表示される。１フレーム期間中に、各画素の液晶セルが光を透過している期間の長さを制
御することによって階調表示を行ってもよいし、複数の画素を１つの単位とし、光を透過
している液晶セルを有する画素の面積を制御することで階調表示を行っても良い。
【００９２】
本発明においてＳＲＡＭを画素中に設けることで、画素に入力されたデジタルビデオ信
号を、次のデジタルビデオ信号が入力されるまでより確実に保持することが可能になる。
すなわち、液晶セル７０８の画素電極において保持される電荷が画素ＴＦＴのリーク電流
によって減少するのを防ぎ、液晶セルの透過光量が変化することを防ぐことが可能になる
。
【００９３】
なお揮発性のメモリはＴＦＴを用いて形成することが可能なため、画素ＴＦＴと同時に
形成することが可能である。
【００９４】
なお本発明において、保持容量は積極的に設けなくとも良い。保持容量を設けない場合
、デジタルビデオ信号を画素に入力する時間を短くすることが可能になる。そのため液晶
表示装置の画素数が増加しても、書き込み期間の長さを抑えることができる。
【００９５】
なお本実施例は、実施例１に示した構成と自由に組み合わせて実施することが可能であ
る
【実施例３】
【００９６】
本実施例では、本発明で用いられる表示装置が有する画素部の詳しい構成について説明
する。
【００９７】
画素部にはマトリクス状に複数の画素７３４が配列される。画素７３４の拡大図を図４
に示す。画素７３４には、第１画素ＴＦＴ７３５と、第２画素ＴＦＴ７３６と、ＳＲＡＭ
７３７と、対向電極と画素電極の間に液晶を挟んだ液晶セル７３８と、第１スイッチ７３
１と、第２スイッチ７３２とが設けられている。
【００９８】
第１画素ＴＦＴ７３５のゲート電極は、ゲート信号線７３９に接続されている。また、
第１画素ＴＦＴ７３５のソース領域とドレイン領域は、一方は第１ソース信号線７４０に
、もう一方はＳＲＡＭ７３７の入力側に接続されている。
【００９９】
第２画素ＴＦＴ７３６のゲート電極は、ゲート信号線７３９に接続されている。また、
第２画素ＴＦＴ７３６のソース領域とドレイン領域は、一方は第２ソース信号線７４１に
、もう一方はＳＲＡＭ７３７の出力側に接続されている。
【０１００】
ＳＲＡＭ７３７はｐチャネル型ＴＦＴとｎチャネル型ＴＦＴを２つづつ有しており、ｐ
チャネル型ＴＦＴのソース領域は高電圧側電源線７４２に接続され、電圧Ｖｄｄｈに保た
れている。またｎチャネル型ＴＦＴのソース領域は低電圧側電源線７４３に接続されてお
り、電圧Ｖｓｓに保たれている。なおＶｄｄｈ＞Ｖｓｓである。１つのｐチャネル型ＴＦ
Ｔと１つのｎチャネル型ＴＦＴとが対になっており、１つのＳＲＡＭの中にｐチャネル型
ＴＦＴとｎチャネル型ＴＦＴとの対が２組存在することになる。
【０１０１】
対になったｐチャネル型ＴＦＴとｎチャネル型ＴＦＴは、そのドレイン領域が互いに接
続されている。また対になったｐチャネル型ＴＦＴとｎチャネル型ＴＦＴは、そのゲート
電極が互いに接続されている。そして互いに一方の対のｐチャネル型及びｎチャネル型Ｔ
ＦＴのドレイン領域が、もう一方の対のｐチャネル型及びｎチャネル型ＴＦＴのゲート電
極と同じ電位に保たれている。そして一方の対のｐチャネル型及びｎチャネル型ＴＦＴの
ドレイン領域は入力の信号（Ｖｉｎ）が入る入力側であり、もう一方の対のｐチャネル型
及びｎチャネル型ＴＦＴのドレイン領域は出力の信号（Ｖｏｕｔ）が出力される出力側で
ある。
【０１０２】
ＳＲＡＭ７３７はＶｉｎを保持し、Ｖｉｎを反転させた信号であるＶｏｕｔを出力する
ように設計されている。つまり、ＶｉｎがＨｉだとＶｏｕｔはＶｓｓ相当のＬｏの信号と
なり、ＶｉｎがＬｏだとＶｏｕｔはＶｄｄｈ相当のＨｉの信号となる。
【０１０３】
一方、第１スイッチ７３１と第２スイッチ７３２とはｐチャネル型ＴＦＴとｎチャネル
型ＴＦＴとを１つづつ有するトランスミッションゲートである。第１スイッチ７３１が有
するｐチャネル型ＴＦＴのゲート電極と、第２スイッチ７３２が有するｎチャネル型ＴＦ
Ｔのゲート電極とは、ＳＲＡＭ７３７の入力側に接続されている。また、第１スイッチ７
３１が有するｎチャネル型ＴＦＴのゲート電極と、第２スイッチ７３２が有するｐチャネ
ル型ＴＦＴのゲート電極とは、ＳＲＡＭ７３７の出力側に接続されている。
【０１０４】
第１スイッチ７３１の入力側は交流駆動信号線７４５に接続されており、第２スイッチ
７３２の入力側はリセット信号線７４６に接続されている。
【０１０５】
第１スイッチ７３１の出力側と、第２スイッチ７３２の出力側は、共に液晶セル７３８
の画素電極に接続されている。
【０１０６】
ゲート信号線７３９に入力される選択信号によって、第１画素ＴＦＴ７３５と第２画素
ＴＦＴ７３６とがオンの状態になる。第１ソース信号線７４０と第２ソース信号線７４１
には逆相のデジタルビデオ信号が入力されており、入力されたデジタルビデオ信号は、Ｓ
ＲＡＭ７３７において保持される。
【０１０７】
また入力されたデジタルビデオ信号によって、第１スイッチ７３１と第２スイッチ７３
２のオンまたはオフが選択される。第１スイッチ７３１がオンのときは第２スイッチ７３
２はオフになっている。逆に第１スイッチ７３１がオフのときは第２スイッチ７３２はオ
ンになっている。
【０１０８】
リセット信号線７４６には液晶セルの対向電極と同じ電位が与えられており、交流駆動
信号線７４５には対向電極の電位を基準として反転した、２値の電圧を有する交流駆動の
信号が入力されている。
【０１０９】
第１スイッチ７３１がオンだと、交流駆動信号線７４５に入力されている交流駆動信号
がサンプリングされて液晶セル７３８の画素電極に入力され、画像が表示される。また逆
に第２スイッチ７３２がオンだと、リセット信号線７４６の電位が液晶セル７３８の画素
電極に入力され、画像は表示されない。
【０１１０】
ＳＲＡＭはＤＲＡＭに比べてデジタルビデオ信号の書き込みにかかる時間が短く、高速
でデータの書き込みを行うことが可能である。よって本発明においてＳＲＡＭを画素中に
設けることで、画素に入力されたデジタルビデオ信号を、次のデジタルビデオ信号が入力
されるまでより確実に保持することが可能になる。すなわち、液晶セル７３８の画素電極
において保持される電荷が画素ＴＦＴのリーク電流によって減少するのを防ぎ、液晶セル
の透過光量が変化することを防ぐことが可能になる。
【０１１１】
なお揮発性のメモリはＴＦＴを用いて形成することが可能なため、画素ＴＦＴと同時に
形成することが可能である。
【０１１２】
なお本願発明において、保持容量は積極的に設けなくとも良い。保持容量を設けない場
合、デジタルビデオ信号を画素に入力する時間を短くすることが可能になる。そのため液
晶ディスプレイの画素数が増加しても、書き込み期間の長さを抑えることができる。
【実施例４】
【０１１３】
本実施例では、本発明で用いられる表示装置の駆動回路について説明する。図５（Ａ）
にソース信号線駆動回路のブロック図を示す。
【０１１４】
ソース信号線駆動回路は、シフトレジスタ回路７６１、ラッチ回路Ａ７６２、ラッチ回
路Ｂ７６３を有している。
【０１１５】
ソース信号線駆動回路が有するシフトレジスタ回路７６１にクロック信号（ＣＫ）、ス
タートパルス（ＳＰ）が入力される。シフトレジスタ回路７６１は、これらのクロック信
号（ＣＫ）およびスタートパルス（ＳＰ）に基づきタイミング信号を順に発生させ、ラッ
チ回路Ａ７６２へタイミング信号を順次供給する。
【０１１６】
ラッチ回路Ａ７６２は、デジタルビデオ信号を記憶する複数のラッチを有している。ラ
ッチ回路Ａ７６２は、前記タイミング信号が入力されると、デジタルビデオ信号を各ラッ
チに順次取り込み、保持する。
【０１１７】
ラッチ回路Ａ７６２の全てのラッチにデジタルビデオ信号の書き込みが一通り終了する
までの時間は、ライン期間と呼ばれる。実際には、上記ライン期間に水平帰線期間が加え
られた期間をライン期間と呼ぶこともある。
【０１１８】
１ライン期間の終了後、ラッチ回路Ｂ７６３にラッチシグナル（Latch Signal）が供給
される。この瞬間、ラッチ回路Ａ７６２に書き込まれ保持されているデジタルビデオ信号
は、ラッチ回路Ｂ７６３に一斉に送出され、ラッチ回路Ｂ７６３の全てのラッチに書き込
まれ、保持される。
【０１１９】
デジタルビデオ信号をラッチ回路Ｂ７６３に送出し終えたラッチ回路Ａ７６２に、シフ
トレジスタ回路７６１からのタイミング信号に基づき、再びデジタルビデオ信号が順次書
き込まれる。
【０１２０】
この２順目の１ライン期間中には、ラッチ回路Ｂ７６３に書き込まれ、保持されている
デジタルビデオ信号が、順次ソース信号線に供給される。
【０１２１】
図５（Ｂ）にゲート信号線駆動回路のブロック図を示す。ゲート信号線駆動回路は、シ
フトレジスタ回路７６６、バッファ回路７６７を有している。ゲート信号線駆動回路内の
シフトレジスタ回路７６６にクロック信号（ＣＬＫ）、スタートパルス信号（ＳＰ）が入
力されると、画素ＴＦＴのスイッチングを制御する選択信号が生成される。選択信号はバ
ッファ回路７６７において緩衝増幅され、ゲート信号線に入力される。
【０１２２】
なお本実施例は、実施例１〜３と自由に組み合わせて実施することが可能である。
【実施例５】
【０１２３】
本実施例では、本発明を用いて液晶表示装置を作製した例について、図６を用いて説明
する。
【０１２４】
図６（Ａ）は、ＴＦＴ基板と対向基板との間に液晶を封止することによって形成された
液晶表示装置の上面図であり、図６（Ｂ）は、図６（Ａ）のＡ−Ａ’における断面図、図
６（Ｃ）は図６（Ａ）のＢ−Ｂ’における断面図である。
【０１２５】
ＴＦＴ基板４００１上に設けられた画素部４００２と、ソース信号線駆動回路４００３
と、第１及び第２のゲート信号線駆動回路４００４ａ、ｂとを囲むようにして、シール材
４００９が設けられている。また画素部４００２と、ソース信号線駆動回路４００３と、
第１及び第２のゲート信号線駆動回路４００４ａ、ｂとの上に対向基板４００８が設けら
れている。ＴＦＴ基板４００１とシール材４００９と対向基板４００８とで囲まれた空間
に液晶４２１０が充填されている。
【０１２６】
またＴＦＴ基板４００１上に設けられた画素部４００２と、ソース信号線駆動回路４０
０３と、第１及び第２のゲート信号線駆動回路４００４ａ、ｂとは、複数のＴＦＴを有し
ている。図６（Ｂ）では代表的に、下地膜４０１０上に形成された、ソース信号線駆動回
路４００３に含まれる駆動ＴＦＴ（但し、ここではｎチャネル型ＴＦＴとｐチャネル型Ｔ
ＦＴを図示する）４２０１及び画素部４００２に含まれる画素ＴＦＴ（画素電極にかかる
電圧を制御するＴＦＴ）４２０２を図示した。
【０１２７】
本実施例では、駆動ＴＦＴ４２０１には公知の方法で作製されたｐチャネル型ＴＦＴま
たはｎチャネル型ＴＦＴが用いられ、画素ＴＦＴ４２０２には公知の方法で作製されたｐ
チャネル型ＴＦＴが用いられる。また、画素部４００２には画素ＴＦＴ４２０２のゲート
に接続された保持容量（図示せず）が設けられる。
【０１２８】
駆動ＴＦＴ４２０１及び画素ＴＦＴ４２０２上には層間絶縁膜（平坦化膜）４３０１が
形成され、その上に画素ＴＦＴ４２０２のドレインと電気的に接続する画素電極４２０３
が形成される。
【０１２９】
対向基板４００８上には対向電極４２０５が形成されている。なお図丸では図示してい
ないが、カラーフィルターや偏光板を適宜設ける。そして対向電極４２０５には所定の電
圧が与えられている。
【０１３０】
以上のようにして、画素電極４２０３、液晶４２１０及び対向電極４２０５からなる液
晶セルが形成される。
【０１３１】
４００５は引き回し配線であり、画素部４００２、ソース信号線駆動回路４００３、第
１のゲート信号線駆動回路４００４ａ、第２のゲート信号線駆動回路４００４ｂと外部の
電源とを接続している。引き回し配線４００５ａはシール材４００９とＴＦＴ基板４００
１との間を通り、異方導電性フィルム４３００を介してＦＰＣ４００６が有するＦＰＣ用
配線４３０１に電気的に接続される。
【０１３２】
対向基板４００８としては、ガラス材、金属材（代表的にはステンレス材）、セラミッ
クス材、プラスチック材（プラスチックフィルムも含む）を用いることができる。プラス
チック材としては、ＦＲＰ（Ｆｉｂｅｒｇｌａｓｓ−Ｒｅｉｎｆｏｒｃｅｄ  Ｐｌａｓｔ
ｉｃｓ）板、ＰＶＦ（ポリビニルフルオライド）フィルム、マイラーフィルム、ポリエス
テルフィルムまたはアクリル樹脂フィルムを用いることができる。また、アルミニウムホ
イルをＰＶＦフィルムやマイラーフィルムで挟んだ構造のシートを用いることもできる。
【０１３３】
但し、画素電極からの光の放射方向がカバー材側に向かう場合にはカバー材は透明でな
ければならない。その場合には、ガラス板、プラスチック板、ポリエステルフィルムまた
はアクリルフィルムのような透明物質を用いる。
【０１３４】
図６（Ｃ）に示すように、画素電極４２０３が形成されると同時に、引き回し配線４０
０５ａ上に接するように導電性膜４２０３ａが形成される。
【０１３５】
また、異方導電性フィルム４３００は導電性フィラー４３００ａを有している。ＴＦＴ
基板４００１とＦＰＣ４００６とを熱圧着することで、ＴＦＴ基板４００１上の導電性膜
４２０３ａとＦＰＣ４００６上のＦＰＣ用配線４３０１とが、導電性フィラー４３００ａ
によって電気的に接続される。
【０１３６】
なお本実施例は、実施例１〜実施例４と自由に組み合わせて実施することが可能である
。
【実施例６】
【０１３７】
本実施例では、本発明の携帯情報端末の外観図について述べる。図７に示すのは本発明
の構成を有する携帯情報端末であり、２７０１は表示用パネル、２７０２は操作用パネル
である。表示用パネル２７０１と操作用パネル２７０２とは接続部２７０３において接続
されている。そして接続部２７０３における、表示用パネル２７０１の表示部２７０４が
設けられている面と操作用パネル２７０２の操作キー２７０６が設けられている面との角
度θは、任意に変えることができる。
【０１３８】
表示用パネル２７０１は表示部２７０４を有している。また図７に示した携帯情報端末
は電話としての機能を有しており、表示用パネル２７０１は音声出力部２７０５を有して
おり、音声が音声出力部２７０５から出力される。表示部２７０４には液晶表示装置が用
いられている。
【０１３９】
操作用パネル２７０２は操作キー２７０６、電源スイッチ２７０７、音声入力部２７０
８を有している。なお図７では操作キー２７０６と電源スイッチ２７０７とを別個に設け
たが、操作キー２７０６の中に電源スイッチ２７０７が含まれる構成にしても良い。音声
入力部２７０８において、音声が入力される。
【０１４０】
なお図７では表示用パネル２７０１が音声出力部２７０５を有し、操作用パネル２７０
２が音声入力部２７０８を有しているが、本実施例はこの構成に限定されない。表示用パ
ネル２７０１が音声入力部２７０８を有し、操作用パネルが音声出力部２７０５を有して
いても良い。また音声出力部２７０５と音声入力部２７０８とが共に表示用パネル２７０
１に設けられていても良いし、音声出力部２７０５と音声入力部２７０８とが共に操作用
パネル２７０２に設けられていても良い。
【０１４１】
なお図８では図７で示した携帯情報端末の操作キー２７０６を人差し指で操作している
例について示した。また図９では図７で示した携帯情報端末の操作キー２７０６を親指で
操作している例について示した。なお操作キー２７０６は操作用パネル２７０２の側面に
設けても良い。操作は片手（きき手）の人差し指のみ、または親指のみでも可能である。
【０１４２】
なお本実施例は、実施例１〜実施例５と自由に組み合わせて実施することが可能である
。
【実施例７】
【０１４３】
本実施例では、実施例６で示したものとは別の携帯を有する携帯情報端末について説明
する。図１０に示すのは、本実施例の携帯情報端末の外観図であり、図１０（Ａ）は上面
図、図１０（Ｂ）は側面図を示す。
【０１４４】
２９０１は表示用パネル、２９０２は操作用パネルである。表示用パネル２９０１と操
作用パネル２９０２とは接続部２９０３において接続されている。そして接続部２９０３
における、表示用パネル２９０１の表示部２９０４が設けられている面と操作用パネル２
９０２の操作キー２９０６が設けられている面との角度は、任意に変えることができる。
【０１４５】
表示用パネル２９０１は表示部２９０４を有している。また図１０に示した携帯情報端
末は電話としての機能を有しており、表示用パネル２９０１は音声出力部２９０５を有し
ており、音声が音声出力部２９０５から出力される。表示部２９０４には本発明の構成を
有する液晶表示装置が用いられている。
【０１４６】
表示部２９０４のアスペクト比は１６：９、４：３など任意に選択することができる。
表示部２９０４のサイズは対角１インチ〜４．５インチ程度が望ましい。
【０１４７】
操作用パネル２９０２は操作キー２９０６、電源スイッチ２９０７、音声入力部２９０
８を有している。なお図１０では操作キー２９０６と電源スイッチ２９０７とを別個に設
けたが、操作キー２９０６の中に電源スイッチ２９０７が含まれる構成にしても良い。音
声入力部２９０８において、音声が入力される。
【０１４８】
また、ＣＣＤ受光部２９１０から画像を電子情報として携帯情報端末に取り入れること
ができる。
【０１４９】
２９１１は外部接続ポートであり、外部からのデータを取り入れることが可能である。
また２９０９はアンテナである。
【０１５０】
なお図１０では表示用パネル２９０１が音声出力部２９０５を有し、操作用パネル２９
０２が音声入力部２９０８を有しているが、本実施例はこの構成に限定されない。表示用
パネル２９０１が音声入力部２９０８を有し、操作用パネルが音声出力部２９０５を有し
ていても良い。また音声出力部２９０５と音声入力部２９０８とが共に表示用パネル２９
０１に設けられていても良いし、音声出力部２９０５と音声入力部２９０８とが共に操作
用パネル２９０２に設けられていても良い。
【０１５１】
また図１０に示した携帯情報端末は操作キー２９０６がそれぞれＬＥＤ、液晶またはＥ
Ｌ等を有している。そして各操作キー２９０６が有するＬＥＤ、液晶またはＥＬ等によっ
て、操作キー２９０６のそれぞれに、単数または複数の文字、記号、数字等が表示される
。そして本実施例の携帯情報端末は、表示部２９０４に表示される画像の方向及び操作キ
ー２９０６に表示される文字、数字、記号等の画像の方向を、利用者が適宜変更すること
が可能である。
【０１５２】
図１０（Ａ）には表示用パネル２９０１と操作用パネル２９０２とを横方向に並べたと
きに、表示部２９０４に表示される画像の方向と、操作キー２９０６に表示される文字、
数字、記号等の画像の方向とが、利用者側から見て本来の方向にある場合を示した。
【０１５３】
また図示してはいないが、表示用パネル２９０１と操作用パネル２９０２とを縦方向に
並べたときに、表示部２９０４に表示される画像の方向と、操作キー２９０６に表示され
る文字、数字、記号等の画像の方向とが、利用者側から見て本来の方向にあるようにして
も良い。
【０１５４】
本発明の携帯情報端末は、利用者の使い勝手に合わせて、表示部２９０４に表示される
画像の方向及び操作キー２９０６に表示される文字、数字、記号等の画像の方向を切り替
えることが可能である。
【０１５５】
なお図１０では表示部２９０４に表示される画像の方向と、操作キー２９０６に表示さ
れる文字、数字、記号等の画像の方向とが常に同じ場合について説明したが、本発明はこ
れに限定されない。表示部２９０４に表示される画像の方向と、操作キー２９０６に表示
される文字、数字、記号等の画像の方向とが異なっていても良い。
【０１５６】
なお図１０に示した操作キーが表示している文字、数字及び記号は一例であり、本発明
の携帯情報端末はこれらの文字、数字及び記号に限定されない。
【０１５７】
また表示部２９０４に表示される画像の方向と、操作キー２９０６に表示される文字、
数字、記号等の画像の方向とを、接続部１０３における表示用パネル２９０１の表示部２
９０４を有する面と操作用パネル２９０２の操作キー２９０６を有する面との間の角度に
よって自動的に切り替えるような構成にしても良い。
これらの構成については、特許願２０００−０８０９７３に詳しく記載されている。
【０１５８】
上記構成によって本発明の携帯情報端末を、利用者にとってより使い勝手の良いものと
することができる。
【０１５９】
なお本実施例は、実施例１〜実施例５と自由に組み合わせて実施することが可能である
。
【実施例８】
【０１６０】
本実施例では、画素部に設けられている記憶回路が、ソース信号線の下に配置されてい
る例について説明する。
【０１６１】
図１６は、透過型の液晶表示装置の画素の上面図である。画素８０１は、ソース信号線
８０４の１つと、ゲート信号線８０３とを含む領域であり、画素電極８０１を有している
。なお図１６では図示していないが、画素８００は、ソース信号線に入力されるデジタル
ビデオ信号に基づいて、画素電極８０１に印加される電圧を制御する画素ＴＦＴを有して
いる。
【０１６２】
デザインルールを１μｍ、画素ピッチを１００ｐｐｉ程度とすれば、本発明において用
いる記憶回路をソース信号線８０４の下に配置することが可能になり、反射型だけではな
く、透過型の液晶表示装置にも適応可能である。
【０１６３】
また、ソース信号線８０４ではなく、ゲート信号線８０３の下に記憶回路を配置するこ
とも可能である。
【０１６４】
なお本実施例は、実施例１〜実施例７と自由に組み合わせて実施することが可能である
。
【図１】
2020024441.tif 000003
【図２】
2020024441.tif 000004
【図３】
2020024441.tif 000005
【図４】
2020024441.tif 000006
【図５】
2020024441.tif 000007
【図６】
2020024441.tif 000008
【図７】
2020024441.tif 000009
【図８】
2020024441.tif 000010
【図９】
2020024441.tif 000011
【図１０】
2020024441.tif 000012
【図１１】
2020024441.tif 000013
【図１２】
2020024441.tif 000014
【図１３】
2020024441.tif 000015
【図１４】
2020024441.tif 000016
【図１５】
2020024441.tif 000017
【図１６】
2020024441.tif 000018